(57)【要約】【課題】把持部を容易に把持することができ、かつ把持部が外方へ目立つことがなく、上下方向の強度を向上させることができるプラスチックボトルを提供する。【解決手段】プラスチックボトル１０は、口部１１と、肩部１２と、胴部２０と、底部３０とを備えている。胴部２０は、４つの側面２１と、各側面２１間に位置する胴部境界面２２とを有し、胴部２０には各側面２１に設けられた側面水平凹状リブ２４ａと、各胴部境界面２２に設けられた境界面水平凹状リブ２４ｂとからなる水平凹状リブ２４が設けられている。肩部１２はボトルの軸方向を含む断面の外縁が外方に突出するよう湾曲したドーム形状をもち、各側面２１の上方領域２１ａおよび下方領域２１ｂに、複数の圧力吸収パネル２３が上下方向に並んで配置されている。側面水平凹状リブ２４ａ近傍の圧力吸収パネル２３ａ、２３ｂは把持用パネルとして機能する。【選択図】図１
2014037269.tif 000002
【特許請求の範囲】
【請求項１】
プラスチックボトルにおいて、
円筒状の口部と、
多角筒状の胴部と、
口部と胴部との間に配置された肩部と、
胴部下方の底部とを備え、
胴部は複数の側面と、各側面間に位置する胴部境界面とを有し、胴部に各側面に設けられ当該側面を上方領域と下方領域とに区画する側面水平凹状リブと、各胴部境界面に設けられた境界面水平凹状リブとからなる水平凹状リブが形成され、
肩部はボトルの軸線を含む断面の外縁が外方に突出するよう湾曲したドーム形状をもち、各側面の上方領域または下方領域に、複数の圧力吸収パネルが上下方向に並んで配置され、側面水平凹状リブ近傍の圧力吸収パネルは把持用パネルとして機能することを特徴とするプラスチックボトル。
【請求項２】
ドーム形状をもつ肩部は、側面に対応する肩部傾斜面と、胴部境界面に対応する肩部境界面とを有し、肩部傾斜面には内方へ引込む細長状谷部が設けられ、肩部境界面には内方へ引込む細長状谷部が設けられていることを特徴とする請求項１記載のプラスチックボトル。
【請求項３】
ドーム形状をもつ肩部は、側面に対応する肩部傾斜面と、胴部境界面に対応する肩部境界面とを有し、肩部の上部は円形水平断面をもち、肩部の上部から下部の間の部分が１２の頂点からなる多角形状水平断面をもち、肩部と胴部と間の環状傾斜部は８つの頂点からなる多角形状水平断面を有することを特徴とする請求項１記載のプラスチックボトル。
【請求項４】
胴部は四角筒状をなし、これにより４つの側面を有することを特徴とする請求項１乃至３のいずれか記載のプラスチックボトル。
【発明の詳細な説明】
【技術分野】
【０００１】
本発明は、容易に把持部を把持することができ、ボトルの美観ならびに上下方向の強度を向上させることができるプラスチックボトルに関する。
【背景技術】
【０００２】
近時、飲料用等のボトルとして、プラスチック製のものが一般化してきており、またプラスチックボトルには、容易に把持することができる把持部が設けられている。
【０００３】
ところでプラスチックボトルの胴部には、胴部を上方と下方に区画する水平凹状リブが設けられているが、一般に把持部はこの水平凹状リブ内に設けられている。
【０００４】
しかしながら把持部を水平凹状リブ内に収めることはむずかしく、把持部は水平凹状リブの上方あるいは下方へ突出して延びており、このため胴部の外観を悪化させている。
【０００５】
その一方で、プラスチックボトルについては上下方向の強度を向上させることが求められている。
【先行技術文献】
【特許文献】
【０００６】
【特許文献１】実開昭５６−１１８８０６号
【発明の概要】
【発明が解決しようとする課題】
【０００７】
本発明はこのような点を考慮してなされたものであり、容易に把持するための把持部を有し、この把持部が外方へ目立つことがなく、ボトルの美観ならびに上下方向の強度を向上させることができるプラスチックボトルを提供することを目的とする。
【課題を解決するための手段】
【０００８】
本発明は、プラスチックボトルにおいて、円筒状の口部と、多角筒状の胴部と、口部と胴部との間に配置された肩部と、胴部下方の底部とを備え、胴部は複数の側面と、各側面間に位置する胴部境界面とを有し、胴部に各側面に設けられ当該側面を上方領域と下方領域とに区画する側面水平凹状リブと、各胴部境界面に設けられた境界面水平凹状リブとからなる水平凹状リブが形成され、肩部はボトルの軸線を含む断面の外縁が外方に突出するよう湾曲したドーム形状をもち、各側面の上方領域または下方領域に、複数の圧力吸収パネルが上下方向に並んで配置され、側面水平凹状リブ近傍の圧力吸収パネルは把持用パネルとして機能することを特徴とするプラスチックボトルである。
【０００９】
本発明は、ドーム形状をもつ肩部は、側面に対応する肩部傾斜面と、胴部境界面に対応する肩部境界面とを有し、肩部傾斜面には内方へ引込む細長状谷部が設けられ、肩部境界面には内方へ引込む細長状谷部が設けられていることを特徴とするプラスチックボトルである。
【００１０】
本発明は、ドーム形状をもつ肩部は、側面に対応する肩部傾斜面と、胴部境界面に対応する肩部境界面とを有し、肩部の上部は円形水平断面をもち、肩部の上部から下部の間の部分が１２の頂点からなる多角形状水平断面をもち、肩部と胴部との間の環状傾斜面は８つの頂点からなる多角形状水平断面を有することを特徴とするプラスチックボトルである。
【００１１】
本発明は、胴部は四角筒状をなし、これにより４つの側面を有することを特徴とするプラスチックボトルである。
【発明の効果】
【００１２】
本発明によれば、各側面の上方領域または下方領域に、複数の圧力吸収パネルが上下方向に並んで配置され、側面水平凹状リブ近傍の圧力吸収パネルが把持用パネルとして機能するため、側面にとくに目立つ把持部を設ける必要がない。また肩部はボトルの軸を含む断面の外縁が外方に突出するよう湾曲したドーム形状をもつため、このドーム形状の肩部によりプラスチックボトル全体として上下方向の強度を向上させることができる。さらには肩部の肩部傾斜面および肩部境界面に細長状谷部が形成されているため、ボトルの美観ならびに上下方向の強度を向上させることができる。
【図面の簡単な説明】
【００１３】
【図１】図１は、本発明の一実施の形態によるプラスチックボトルを示す側面図。
【図２】図２は、本発明の一実施の形態によるプラスチックボトルを示す図１とは異なる角度からみた側面図。
【図３】図３は、本発明の一実施の形態によるプラスチックボトルを示す平面図。
【図４】図４は、本発明の一実施の形態によるプラスチックボトルを示す底面図。
【図５】図５は、本発明の変形例によるプラスチックボトルを示す側面図。
【図６】図６は、本発明の変形例によるプラスチックボトルを示す図５とは異なる角度からみた側面図。
【図７】図７は本発明の変形例によるプラスチックボトルを示す平面図。
【発明を実施するための形態】
【００１４】
以下、図面を参照して本発明の一実施の形態について説明する。図１乃至図４は本発明の一実施の形態を示す図である。
【００１５】
まず、図１乃至図４により、本実施の形態によるプラスチックボトルの概要について説明する。
【００１６】
プラスチックボトル１０は、１ｌ以下（１０００ｃｃ以下）の内容積をもち、口部１１と、口部１１下方に設けられた肩部１２と、肩部１２下方に設けられた胴部２０と、胴部２０下方に設けられた底部３０とを備えている。
【００１７】
このうち胴部２０は、互いに同一の形状からなる４つの側面２１を有しており、全体として四角筒形状からなっている。また隣接する側面２１同士の間には、それぞれ平坦な胴部境界面２２が形成されている。
【００１８】
また胴部２０の４つの側面２１は、内側へ（ボトル１０の内方へ）引込む側面水平凹状リブ２４ａを介して上方領域２１ａと、下方領域２１ｂとに区画されている。また各胴部境界面２２も内側へ（ボトル１０の内方へ）引込む境界面水平凹状リブ２４ｂを介して上方領域２２ａと、下方領域２２ｂとに区画されている。
【００１９】
このうち側面水平凹状リブ２４ａと境界面水平凹状リブ２４ｂとによって水平凹状リブ２４が構成されている。
【００２０】
また、胴部２０の各側面２１の上方領域２１ａおよび下方領域２１ｂには、各々複数の平板状の圧力吸収パネル２３が設けられ、この圧力吸収パネル２３によってプラスチックボトル１０内の膨張時および減圧時にプラスチックボトル１０に加わる圧力を吸収している。
【００２１】
本実施の形態において、胴部２０の各側面２１の上方領域２１ａには２つの圧力吸収パネル２３が上下方向に並んで設けられ、下方領域２１ｂには４つの圧力吸収パネル２３が上下方向に並んで設けられている。
【００２２】
このうち側面水平凹状リブ２４ａ近傍の圧力吸収パネル、例えば上方領域２１ａの圧力吸収パネル２３ａ又は下方領域２１ｂの圧力吸収パネル２３ｂは把持用パネルとして機能し、これら圧力吸収パネル２３ａ、２３ｂ内に使用者の指を装着することができる。
【００２３】
さらにまた、底部３０は周縁部３１と、周縁部３１の内側に位置するとともに周縁部３１より上方へ持上げられた中央部３２とを有し、中央部３２と周縁部３１との間に、円周状に延びる中間部３３が介在されている。
【００２４】
次に図１、図２および図３により、プラスチックボトル１０の肩部１２の構成を詳述する。
【００２５】
図１、図２および図３に示すように、プラスチックボトル１０の肩部１２は、口部１１と胴部２０との間に形成されるとともに、４つの肩部傾斜面１２Ａを有し、全体としてボトルの軸線Ｌを含む断面の外縁が外方に突出するよう湾曲したドーム形状をもっている。
【００２６】
ドーム形状をもつ肩部１２は、断面Ａで切断した上部が円形水平断面をもち、断面Ｂで切断した上部から下部の間の部分が多角形水平断面をもち、断面Ｃで切断した肩部１２と胴部２０との間の環状傾斜面１３が８つの頂点からなる多角形水平断面をもつ。
【００２７】
また各肩部傾斜面１２Ａ間には肩部境界面１２Ｂが形成されている。このうち各肩部傾斜面１２Ａは胴部２０の側面２１に対応して形成され、各肩部境界面１２Ｂは胴部２０の胴部境界面２２に対応して形成されている。
【００２８】
また各肩部傾斜面１２Ａには内方へ引込むとともに三角形断面をもつ複数本の細長状谷部１６が設けられ、各肩部境界面１２Ｂには内方へ引込むとともに三角形断面をもつ細長状谷部１５が設けられてる。
【００２９】
ところで各肩部傾斜面１２Ａに形成された４本の細長状谷部１６および各肩部境界面１２Ｂに形成された細長状谷部１５は、平面上全体として放射状に配置されている（図３参照）。
【００３０】
また肩部１２と胴部２０との間には、水平方向に延びるとともに傾斜する環状傾斜面１３が形成されており、各肩部傾斜面１２Ａに設けられた４本の細長状谷部１６はこの環状傾斜面１３を基準として内方へ引込んでいる。また各肩部境界面１２Ｂに設けられた細長状谷部１５は、環状傾斜面１３を基準として内方へ引込んでいる。
【００３１】
上述のように胴部２０の各側面２１の上方領域２１ａおよび下方領域２１ｂに複数の圧力吸収パネル２３が設けられ、これらの圧力吸収パネル２３のうち側面水平凹状リブ２４ａ近傍の上方領域２１ａ側の圧力吸収パネル２３ａおよび下方領域２１ｂ側の圧力吸収パネル２３ｂは把持用パネルとして機能する。
【００３２】
このように胴部２０の各側面２１に設けられた側面水平凹状リブ２４ａ近傍の上方領域２１ａ側の圧力吸収パネル２３ａおよび下方領域２１ｂ側の圧力吸収パネル２３ｂを把持用パネルとして用いることができるので、各側面２１に特別に外方へ目立つ把持部を設ける必要はない。
【００３３】
ところで、プラスチックボトルの側面水平凹状リブ内に把持部を設けてプラスチックボトルを把持する技術も開発されているが、把持部を容易に把持することができるようこの把持部を大きくとることが一般的である。この場合は、把持部が側面水平凹状リブの上方または下方へ突出して延びるため、胴部の外観上、把持部が目立つことになり外観上好ましくない。
【００３４】
これに対して本発明によれば、各側面２１に設けられた側面水平凹状リブ２４ａ近傍の上方領域２１ａ側の圧力吸収パネル２３ａおよび下方領域２１ｂ側の圧力吸収パネル２３ｂを把持用パネルとして用いることができるので、各側面２１に特別に外方へ目立つ把持部を設ける必要はない。
【００３５】
このようなプラスチックボトル１０は、合成樹脂材料を射出成形して製作したプリフォームを二軸延伸ブロー成形することにより作製することができる。なおプリフォームすなわちプラスチックボトル１０の材料としては熱可塑性樹脂、特にＰＥ（ポリエチレン）、ＰＰ（ポリプロピレン）、ＰＥＴ（ポリエチレンテレフタレート）、ＰＥＮ（ポリエチレンナフタレート）を使用する事が好ましい。
【００３６】
また、プラスチックボトル１０は、２層以上の多層成形ボトルとして形成することもできる。即ち押し出し成形または射出成形により、例えば、中間層をＭＸＤ６、ＭＸＤ６＋脂肪酸塩、ＰＧＡ（ポリグリコール酸）、ＥＶＯＨ（エチレンビニルアルコール共重合体）又はＰＥＮ（ポリエチレンナフタレート）等のガスバリア性及び遮光性を有する樹脂（中間層）として３層以上からなるプリフォームを押出成形後、吹込成形することによりガスバリア性及び遮光性を有する多層ボトルを形成しても良い。なお、このような中間層は、プラスチックボトル１０のうち少なくとも胴部２０内に設けることが好ましい。また底部３０において、底部３０の中央部を除く領域に中間層を設けることが好ましい。ケース落下等の衝撃を受けた際この部分がデラミ（層間剥離）を起こすおそれがあるからである。ガスバリア性及び遮光性を有する為に、多層にするだけでなく熱可塑性樹脂同士をブレンドしたブレンドボトルを形成しても良い。
【００３７】
次にこのような構成からなる本実施の形態の作用について説明する。
【００３８】
まずプラスチックボトル１０内に、例えば緑茶、コーヒー等の内容液を充填し、その後これを密栓する。
【００３９】
この場合、プラスチックボトル１０の底部３０の中央部３２を押し棒（図示せず）により押し上げた状態で、内容液がプラスチックボトル１０内に充填される。次に口部１１をキャップ（図示せず）により密栓する。
【００４０】
内容液が充填されたプラスチックボトル１０は積み上げられて貯蔵され、あるいは搬送される。このため内容液が充填されたプラスチックボトル１０に対して貯蔵中あるいは搬送中に上下方向に大きな荷重が加わることも考えられる。
【００４１】
本発明によれば、肩部１２が全体としてボトルの軸線Ｌを含む断面の外縁が外方に突出するよう湾曲したドーム形状をもつため、肩部１２のドーム形状により上下方向の強度を向上させることができる。また肩部１２の各肩部傾斜面１２Ａに４本の細長状谷部１６を設け、各肩部境界面１２Ｂに細長状谷部１５を設け、これら細長状谷部１６および細長状谷部１５が平面上放射状をなすよう形成されているので、肩部１２に加わる荷重に対して細長状谷部１６および細長状谷部１５が補強リブとして機能する。このため肩部１２に加わる上下方向の荷重をこれら細長状谷部１６と細長状谷部１５とにより確実に受けることができ、肩部１２の上下方向に沿う強度を更に向上させることができる。また細長状谷部１５、１６により、ボトルの美観を向上させることができる。
【００４２】
さらにまた各側面２１に設けられた側面水平凹状リブ２４ａ近傍の圧力吸収パネル２３ａ、２３ｂを把持用パネルとして用いることができるので、側面２１に特別に外方へ目立つ把持部を設ける必要はない。
【００４３】
次に本発明の変形例について図５乃至図７により説明する。図５乃至図７に示す変形例は、プラスチックボトル１０の肩部１２の構成が異なるのみであり、他の構成は図１乃至図４に示す実施の形態と略同一である。
【００４４】
図５乃至図７に示す変形例において、図１乃至図４に示す変形例と同一部分には同一符号を付して詳細な説明は省略する。
【００４５】
図５、図６および図７に示すように、プラスチックボトル１０の肩部１２は、口部１１と胴部２０との間に形成されるとともに、４つの肩部傾斜面１２Ａを有し、全体としてボトルの軸線Ｌを含む断面の外縁が外方に突出するよう湾曲したドーム形状をもっている。
【００４６】
ドーム形状をもつ肩部１２は、断面Ａで切断した上部が円形水平断面をもち、断面Ｂで切断した上部から下部の間の部分が１２の頂点からなる多角形水平断面をもち、断面Ｃで切断した肩部１２と胴部２０との間の環状傾斜面１３が８つの頂点からなる多角形水平断面をもつ。
【００４７】
また各肩部傾斜面１２Ａ間には肩部境界面１２Ｂが形成されている。このうち各肩部傾斜面１２Ａは胴部２０の側面２１に対応して形成され、各肩部境界面１２Ｂは胴部２０の胴部境界面２２に対応して形成されている。
【符号の説明】
【００４８】
１０  プラスチックボトル
１１  口部
１２  肩部
１２Ａ  肩部傾斜面
１２Ｂ  肩部境界面
１３  環状傾斜面
１５  細長状谷部
１５ａ  先細部
１６  細長状谷部
２０  胴部
２１  側面
２１ａ  上方領域
２１ｂ  下方領域
２２  境界面
２３  パネル部
２４  水平凹状リブ
２４ａ  側面水平凹状リブ
２４ｂ  境界面水平凹状リブ
３０  底部
【図１】
2014037269.tif 000003
【図２】
2014037269.tif 000004
【図３】
2014037269.tif 000005
【図４】
2014037269.tif 000006
【図５】
2014037269.tif 000007
【図６】
2014037269.tif 000008
【図７】
2014037269.tif 000009